(57)【要約】【課題】本発明は、補聴器のスイッチを使用者の手で切ることなく、単に収納するだけで簡単に補聴器のスイッチが切れ、電池ホルダーを開きすぎることによる電池ホルダーの破損や電池の落下を防ぐ補聴器ケースを提供する。【解決手段】補聴器ケース６において、補聴器８の収納時に、補聴器のノブ１０に引っかかる部分２を設けた。【選択図】図１
2018160877.tif 000002
【特許請求の範囲】
【請求項１】
収納時に補聴器のスイッチを押しスイッチを切るためにスイッチと係合する係合部と、補聴器を適切な位置に保持するための保持部を備えた補聴器ケース。
【請求項２】
前記スイッチが電池ホルダー式であることを特徴とする請求項１記載の補聴器ケース。
【請求項３】
塵や汚れから補聴器を守るための蓋を備えることを特徴とする請求項１または２記載の補聴器ケース。
【請求項４】
補聴器の全体あるいは一部の形に添った保持部を備えることを特徴とする請求項１〜３のいずれかに記載の補聴器ケース。
【請求項５】
ネックレスチェーンを取り付ける部分を備えることを特徴とする請求項１〜４のいずれかに記載の補聴器ケース。
【発明の詳細な説明】
【技術分野】
【０００１】  本発明は、補聴器ケースに関するものである。
【背景技術】
【０００２】  従来の補聴器ケースは単に補聴器を収納する役割を持つものであった（特許文献１）。量産型の比較的安価な補聴器は電池ホルダーを採用するものが多い。電池ホルダーとは電池交換とスイッチの機能を併せ持つ機構である。【０００３】  電池ホルダーを採用する補聴器が多い理由は以下の２つである。１つ目は原始的な構造なため安価で安定した動作が見込めるからである。２つ目は電池ホルダーが２つの役割を兼ねることができるからである。その役割は電池交換とスイッチの役割である。電池ホルダーを大きく開くと電池の交換ができる。また電池ホルダーを閉めた状態が、スイッチが入った状態、少しずらした状態が、スイッチが切れた状態となる。【０００４】  従来は補聴器のスイッチを使用者の手で切る必要があり、電池ホルダーを開きすぎることによる電池ホルダーの破損や電池の落下のリスクがあった。
【先行技術文献】
【特許文献】
【０００５】
【特許文献１】特開２００４−１２０７２１号公報
【発明の概要】
【発明が解決しようとする課題】
【０００６】  そこで、本発明は、補聴器のスイッチを使用者の手で切ることなく、単に収納するだけで簡単に補聴器のスイッチが切れ、電池ホルダーを開きすぎることによる電池ホルダーの破損や電池の落下を防ぐ補聴器ケースを提供することを目的とする。
【課題を解決するための手段】
【０００７】  本発明の補聴器ケースは、収納時に補聴器のスイッチを押しスイッチを切るためにスイッチと係合する係合部と、補聴器を適切な位置に保持するための保持部を備えたことを特徴とする。【０００８】  また、前記スイッチが電池ホルダー式であることを特徴とする。【０００９】  また、塵や汚れから補聴器を守るための蓋を備えることを特徴とする。【００１０】  また、補聴器の全体あるいは一部の形に添った保持部を備えることを特徴とする。【００１１】  さらに、ネックレスチェーンを取り付ける部分を備えることを特徴とする。
【発明の効果】
【００１２】  本発明によれば、補聴器のスイッチの切り忘れを防止できる。【００１３】  また、補聴器のスイッチの入り切りの所要時間の短縮ができ、これは補聴器の着脱の時間の短縮につながる。【００１４】  さらに、電池ホルダーを開きすぎることによる電池ホルダーの破損や電池の落下を防ぐことができる。
【図面の簡単な説明】
【００１５】
【図１】実施例１の補聴器収納後の補聴器ケースの背面図である。
【図２】実施例１の補聴器収納前の補聴器ケースの背面図である。
【図３】実施例１の正面図である。
【図４】実施例１の側面図である。
【図５】実施例２の上面図である。
【図６】実施例２の正面図である。
【図７】実施例３の正面図である。
【発明を実施するための形態】
【実施例１】
【００１６】  補聴器ケース６において、補聴器３の収納時に、補聴器３の電池ホルダー１１の一部であるノブ１０に引っかかり押す部分２を設け係合部とした。補聴器３を適切な位置に保持するための、補聴器の全体あるいは一部の形に添った部分５を設け保持部とした。【００１７】  補聴器ケース６の外観形状はハート形のほか、星型や丸型などが考えられる。【００１８】  補聴器ケース６のチェーンを取り付ける部分８にチェーンを取り付けてネックレスのように首掛け式にすることも可能である。【００１９】  首から下げて使用するとき、首にチェーンをかけてから使用者の正面で補聴器３を補聴器ケース６に収納する。補聴器３を使用したい時に補聴器ケース６から補聴器３を取り出し使用する。使用し終わったら再び補聴器ケース６に収納する。【００２０】  電池ホルダー１１が開く方向の逆方向に向かって補聴器３を補聴器ケース６に収納する。補聴器ケース６の前面の裏側と補聴器ケース６の後面に形成された保持部４の表側との間には補聴器３の幅と同じ幅の溝７があり、その溝７により形成された保持部５に補聴器３を収納する。使用者が収納するために補聴器ケース６を保持して補聴器３を押す力、または補聴器３と補聴器ケース６を押す力、または補聴器３を保持して補聴器ケース６を押す力が、電池ホルダー１１と補聴器ケースの係合部２とが係合することにより電池ホルダー１１に伝わり、電池ホルダー１１が開く。係合部２は電池ホルダー１１の一部、または全体に沿った形をしている。係合部２は、使用者が補聴器３と補聴器ケース６とを離す、つまり補聴器３を収納している状態から取り出す作為を使用者がする場合、電池ホルダー１１と補聴器ケース６の係合部２の係合が外れる。したがって補聴器３の円滑な取り出しが可能である。【００２１】  補聴器を適切な位置へ誘導し保持する部分５や補聴器を適切な位置へ誘導し保持する面６といった保持部は弾性材や金属板や樹脂などを用いる。補聴器３と触れる部分に布やシリコンなど軟らかいものを配置することで補聴器３に傷がつくことを防止する。特に補聴器３を適切な位置へ誘導し保持する部分５は補聴器３の曲面に沿う形状をしている。【００２２】  また補聴器３を適切な位置へ誘導し保持する部分５が補聴器３に当たるため、使用者が力を加え続けても係合部２が適切な開き具合以上に電池ホルダー１１が開かない。補聴器３を適切な位置へ誘導し保持する面６は収納時、補聴器３がぶれないように補聴器３に触れる。奥へ補聴器３を収納するにしたがって溝７が狭まる方向へ傾斜を補聴器を適切な位置へ誘導し保持する面６につけることにより、使用者が収納しやすく、また補聴器３を保持部が保持しやすくなる。【００２３】  本発明によれば、補聴器３のスイッチの切り忘れを防止できる。【００２４】  本発明によれば、補聴器３のスイッチの入り切りの所要時間の短縮ができる。【００２５】  これは補聴器３の着脱の時間の短縮につながる。【００２６】  電池ホルダー１１を開きすぎることによる電池ホルダー１１の破損や電池の落下を防ぐ。【００２７】  チェーンを取り付ける部分８にチェーンを付けることにより、ネックレスのように使用できるため、補聴器３への悪印象を払拭できる。【００２８】  副���的効果として、スイッチを切るためという補聴器３を補聴器ケース６へ収納する新たな動機が生じるため、補聴器３を裸で管理しにくくなり、補聴器３の紛失や破損を防止する。【００２９】  副次的効果として、着脱のハードルが下がり、使用しないときは耳から外しやすくなり、長時間  電子音に曝されることによる健康への悪影響や耳の蒸れも抑えられる。【００３０】  このように、本実施例の補聴器ケース６は、収納時に補聴器３のスイッチを押しスイッチを切るためにスイッチと係合する係合部２と、補聴器を適切な位置に保持するための保持部を備えたことを特徴とする。【００３１】  また、前記スイッチが電池ホルダー１１であることを特徴とする。【００３２】  また、補聴器の全体あるいは一部の形に添った保持部５，６を備えることを特徴とする。【００３３】  さらに、ネックレスチェーンを取り付ける部分８を備えることを特徴とする。
【実施例２】
【００３４】  補聴器ケースにおいて、補聴器３の収納時に、補聴器３の電池ホルダー１１のノブ１０と係合しノブ１０を押す部分３２と、補聴器を適切な位置へ誘導し保持する面３３、溝３７、弾性保護材３５、塵や汚れから補聴器を守る蓋３１、予備電池収納スペース３４を設けた。【００３５】  従来の補聴器ケースと同様、補聴器３を収納、携帯するために使用する。【００３６】  従来の補聴器ケースは補聴器３の電池ホルダー１１が開く方向に鉛直方向に収納するが、本発明では補聴器３の電池ホルダー１１が開く方向の逆方向に収納する。【００３７】  従来の補聴器ケースでは電池ホルダー１１を開く際に電池ホルダー１１が通過する面の鉛直下向き方向に向かって補聴器３を補聴器ケースに収納する。一方で本発明では電池ホルダー１１が開く方向の逆方向に向かって補聴器３を補聴器ケースに収納する。補聴器ケースには補聴器３の全体あるいは一部と同じ形の溝７があり、その溝７に補聴器３を収納する。使用者が収納するために補聴器ケースを保持して補聴器３を押す力、または補聴器３と補聴器ケースを押す力、または補聴器３を保持して補聴器ケースを押す力が、電池ホルダー１１と補聴器ケースの係合部３２とが係合することにより電池ホルダー１１に伝わり、電池ホルダー１１が開く。係合部２は電池ホルダー１１の一部、または全体に沿った形をしている。【００３８】  係合部２は補聴器３と補聴器ケースとを離す、つまり収納している状態から取り出す作為を使用者がする場合、電池ホルダー１１と補聴器ケースの係合部２の係合が外れる。したがって補聴器３の円滑な取り出しが可能である。【００３９】  溝７の形が左右非対称になっており、使用者が補聴器３を補聴器ホルダー１１の開く方向の逆方向ではなく、誤って補聴器ホルダー１１の開く方向に収納しようとした場合、補聴器が溝７にはまりにくいため収納方向の誤りに気づくようになっている。【００４０】  従来は補聴器３の電池ホルダー１１を開いてから補聴器３を補聴器ケースに収納することが煩雑であった。特にお年寄りには難しい操作であった。一方で本発明の方法では簡単に素早く確実に電池ホルダーを開き収納できる。【００４１】  本発明によれば、補聴器３のスイッチの切り忘れを防止できる。【００４２】  本発明によれば、補聴器３のスイッチの入り切りの所要時間の短縮ができ、これは補聴器３の着脱の時間の短縮につながる。【００４３】  電池ホルダー１１を開きすぎることによる電池ホルダー１１の破損や電池の落下を防ぐ。【００４４】  従来の補聴器ケースを使用していた人が違和感なく使用できる。【００４５】  便利になる一方で従来の補聴器ケースと製造コストに大差がない。【００４６】  副次的効果として、着脱のハードルが下がり、使用しないときは耳から外しやすくなり、長時間電子音に曝されることによる健康への悪影響や耳の蒸れも抑えられる。【００４７】  副次的効果として、スイッチを切るためという補聴器３をケースへ収納する新たな動機が生じるため、補聴器３を裸で管理しにくくなり、補聴器の紛失や破損を防止する。【００４８】  なお耳かけ式などの補聴器であっても、保持部と係合部の位置関係を適宜変更することにより本発明を適用可能である。【００４９】  このように、本実施例の補聴器ケースは、収納時に補聴器３のスイッチを押しスイッチを切るためにスイッチと係合する係合部２と、補聴器を適切な位置に保持するための保持部３３を備えたことを特徴とする。また溝７によっても左右から補聴器３を適切な位置に誘導し保持している。【００５０】  また、前記スイッチが電池ホルダー１１であることを特徴とする。【００５１】  また、塵や汚れから補聴器を守るための蓋３１を備えることを特徴とする。【００５２】  また、補聴器の全体あるいは一部の形に添った保持部３３を備えることを特徴とする。
【実施例３】
【００５３】  補聴器ケースにおいて、補聴器３の収納時に、補聴器３の電池ホルダー１１のノブ１０と係合しノブ１０を押す部分３６と、補聴器を適切な位置へ誘導し保持する面３３、溝３７、弾性保護材３５、塵や汚れから補聴器を守る蓋３１、予備電池収納スペース３４を設けた。【００５４】  従来の補聴器ケースと同様、補聴器３を収納、携帯するために使用する。【００５５】  従来の補聴器ケースでは電池ホルダー１１を開く際に通過する面の鉛直下向き方向に向かって補聴器３を補聴器ケースに収納する。一方で本発明では電池ホルダー１１が開く方向に向かって補聴器３を補聴器ケースに収納する。実施例２と異なり開く方向に向かって収納する。補聴器ケースには補聴器３の全体あるいは一部と同じ形の溝７があり、その溝３７に補聴器３を収納する。溝３７も補聴器を適切な位置へ誘導し保持する役割を持つ。【００５６】  補聴器３は補聴器ケースに保持される。使用者が補聴器ケースの蓋３１を閉めるとき使用者が補聴器ケースの蓋３１を押す力が電池ホルダー１１と補聴器ケースの蓋３１に形成された係合部３６とが係合することにより電池ホルダー１１に伝わり、電池ホルダー１１が開く。係合部は電池ホルダー１１の一部、または全体に沿った形をしている。【００５７】  従来は補聴器３の電池ホルダー１１を開いてから補聴器ケースに収納することが煩雑であった。特にお年寄りには難しい操作であった。一方で本発明の方法では簡単に素早く確実に電池ホルダー１１を開き収納できる。【００５８】  溝３７の形が左右非対称になっており、使用者が補聴器３を補聴器ホルダー１１の開く方向ではなく、誤って補聴器ホルダー１１の開く方向の逆方向に収納しようとした場合、補聴器３が溝３７にはまりにくいため気づくようになっている。【００５９】  本発明によれば、補聴器３のスイッチの切り忘れを防止できる。【００６０】  本発明によれば、補聴器３のスイッチの入り切りの所要時間の短縮ができ、これは補聴器３の着脱の時間の短縮につながる。【００６１】  電池ホルダー１１を開きすぎることによる電池ホルダー１１の破損や電池の落下を防ぐ。【００６２】  従来の補聴器ケースを使用していた人が違和感なく使用できる。【００６３】  便利になる一方で従来の補聴器ケースと製造コストに大差がないため普及しやすい。【００６４】  副次的効果として、着脱のハードルが下がり、使用しないときは耳から外しやすくなり、長時間電子音に曝されることによる健康への悪影響や耳の蒸れも抑えられる。【００６５】  副次的効果として、スイッチを切るためという補聴器３をケースへ収納する新たな動機が生じるため、補聴器３を裸で管理しにくくなり、補聴器３の紛失や破損を防止する。【００６６】  なお耳かけ式などの補聴器であっても、保持部と係合部の位置関係を適宜変更することにより本発明を適用可能である。【００６７】  また、本実施例では、補聴器３を補聴器ケース内に動かないように保持し、補聴器の電池ホルダー１１を蓋３１に形成された係合部３６が押すことによりスイッチを切る構成になっているので、蓋３１を閉める動作だけで簡単にスイッチを切ることができる。したがって、電池ホルダー１１と係合部３６の位置合わせをする必要がなく、お年寄りにも使いやすい。【００６８】  位置合わせとは、例えば補聴器３の電池ホルダー１１のノブ１０の幅ぴったりの隙間が形成された補聴器ケースの場合、補聴器３の電池ホルダー１１のノブ１０を補聴器ケースに形成された補聴器３の電池ホルダー１１のノブ１０の幅ぴったりの隙間にはめることである。目視と指先の感覚により、使用者は位置をしっかり合わせて補聴器３の電池ホルダー１１のノブ１０を、補聴器３の電池ホルダー１１のノブ１０の幅ぴったりに形成された溝にはめる必要がある。したがって年齢に伴い視力の衰えや指先の感覚の鈍さが生じている人にとって位置合わせは難しい。【００６９】  電池ホルダーを保持して、補聴器ケースの蓋３１に形成された係合部３６が補聴器本体と係合し使用者が補聴器ケースの蓋３１を押す力を利用して電池ホルダー１１を開く機構も可能である。しかし、この機構は補聴器３を収納する際、使用者が補聴器３の電池ホルダー１１のノブ１０が補聴器ケースに保持されるよう注意深く収納する必要があり、お年寄りにやさしくない。一方で本実施例では簡単に収納ができる。【００７０】  このように、本実施例の補聴器ケースは、収納時に補聴器３のスイッチを押しスイッチを切るためにスイッチと係合する係合部３６と、補聴器３を適切な位置に誘導し保持するための保持部３３を備えたことを特徴とする。３７も補聴器３を適切な位置に保持する。【００７１】  また、前記スイッチが電池ホルダー１１であることを特徴とする。【００７２】  また、塵や汚れから補聴器３を守るための蓋３１を備えることを特徴とする。【００７３】  また、補聴器の全体あるいは一部の形に添った保持部を備えることを特徴とする。。
【産業上の利用可能性】
【００７４】  射出成形により低コストで大量生産が可能。現在流通している補聴器は、購入するとケースも付属する。そのケースと製造コストは変わらず、利便性が向上する。
【符号の説明】
【００７５】２…補聴器の電池ホルダーのノブを押す部分，係合部
３…補聴器
４…補聴器を適切な位置へ誘導し保持する部分、保持部
５…補聴器を適切な位置へ誘導し保持する面、保持部
６…補聴器ケース
７…溝
８…チェーンを取り付ける部分
９…イヤーチップ
１０…ノブ
１１…電池ホルダー
３１…補聴器ケースの蓋
３２，３６…補聴器の電池ホルダーのノブと係合しノブを押す部分，係合部
３３…補聴器を適切な位置へ誘導し保持する面、保持部
３４…予備電池収納スペース
３５…弾性保護材
３７…溝
【図１】
2018160877.tif 000003
【図２】
2018160877.tif 000004
【図３】
2018160877.tif 000005
【図４】
2018160877.tif 000006
【図５】
2018160877.tif 000007
【図６】
2018160877.tif 000008
【図７】
2018160877.tif 000009
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
収納時に補聴器のスイッチを押しスイッチを切るためにスイッチと係合する係合部と、補聴器を適切な位置に保持するための保持部を備え、前記係合部は補聴器の長手方向の端部に設けられたノブを押して補聴器のスイッチを切るように構成された補聴器ケース。
【請求項２】
前記スイッチが電池ホルダー式であることを特徴とする請求項１記載の補聴器ケース。
【請求項３】
塵や汚れから補聴器を守るための蓋を備えることを特徴とする請求項１または２記載の補聴器ケース。
【請求項４】
補聴器の全体あるいは一部の形に添った保持部を備えることを特徴とする請求項１〜３のいずれかに記載の補聴器ケース。
【請求項５】
ネックレスチェーンを取り付ける部分を備えることを特徴とする請求項１〜４のいずれかに記載の補聴器ケース。
【手続補正２】
【補正対象書類名】明細書
【補正対象項目名】００１６
【補正方法】変更
【補正の内容】
【００１６】
補聴器ケース６において、補聴器９の収納時に、補聴器９の電池ホルダー１１の一部であるノブ１０に引っかかり押す部分２を設け係合部とした。補聴器９を適切な位置に保持するための、補聴器の全体あるいは一部の形に添った部分５を設け保持部とした。
【手続補正３】
【補正対象書類名】明細書
【補正対象項目名】００１９
【補正方法】変更
【補正の内容】
【００１９】
首から下げて使用するとき、首にチェーンをかけてから使用者の正面で補聴器９を補聴器ケース６に収納する。補聴器９を使用したい時に補聴器ケース６から補聴器９を取り出し使用する。使用し終わったら再び補聴器ケース６に収納する。
【手続補正４】
【補正対象書類名】明細書
【補正対象項目名】００２０
【補正方法】変更
【補正の内容】
【００２０】
電池ホルダー１１が開く方向の逆方向に向かって補聴器９を補聴器ケース６に収納する。補聴器ケース６の前面の裏側と補聴器ケース６の後面に形成された保持部４の表側との間には補聴器９の幅と同じ幅の溝７があり、その溝７により形成された保持部５に補聴器９を収納する。使用者が収納するために補聴器ケース６を保持して補聴器９を押す力、または補聴器９と補聴器ケース６を押す力、または補聴器９を保持して補聴器ケース６を押す力が、電池ホルダー１１と補聴器ケースの係合部２とが係合することにより電池ホルダー１１に伝わり、電池ホルダー１１が開く。係合部２は電池ホルダー１１の一部、または全体に沿った形をしている。係合部２は、使用者が補聴器９と補聴器ケース６とを離す、つまり補聴器９を収納している状態から取り出す作為を使用者がする場合、電池ホルダー１１と補聴器ケース６の係合部２の係合が外れる。したがって補聴器９の円滑な取り出しが可能である。
【手続補正５】
【補正対象書類名】明細書
【補正対象項目名】００２１
【補正方法】変更
【補正の内容】
【００２１】
補聴器を適切な位置へ誘導し保持する部分５や補聴器を適切な位置へ誘導し保持する面６といった保持部は弾性材や金属板や樹脂などを用いる。補聴器９と触れる部分に布やシリコンなど軟らかいものを配置することで補聴器９に傷がつくことを防止する。特に補聴器９を適切な位置へ誘導し保持する部分５は補聴器９の曲面に沿う形状をしている。
【手続補正６】
【補正対象書類名】明細書
【補正対象項目名】００２２
【補正方法】変更
【補正の内容】
【００２２】
また補聴器９を適切な位置へ誘導し保持する部分５が補聴器９に当たるため、使用者が力を加え続けても係合部２が適切な開き具合以上に電池ホルダー１１が開かない。補聴器９を適切な位置へ誘導し保持する面６は収納時、補聴器９がぶれないように補聴器９に触れる。奥へ補聴器９を収納するにしたがって溝７が狭まる方向へ傾斜を補聴器を適切な位置へ誘導し保持する面６につけることにより、使用者が収納しやすく、また補聴器９を保持部が保持しやすくなる。
【手続補正７】
【補正対象書類名】明細書
【補正対象項目名】００２３
【補正方法】変更
【補正の内容】
【００２３】
本発明によれば、補聴器９のスイッチの切り忘れを防止できる。
【手続補正８】
【補正対象書類名】明細書
【補正対象項目名】００２４
【補正方法】変更
【補正の内容】
【００２４】
本発明によれば、補聴器９のスイッチの入り切りの所要時間の短縮ができる。
【手続補正９】
【補正対象書類名】明細書
【補正対象項目名】００２５
【補正方法】変更
【補正の内容】
【００２５】
これは補聴器９の着脱の時間の短縮につながる。
【手続補正１０】
【補正対象書類名】明細書
【補正対象項目名】００２７
【補正方法】変更
【補正の内容】
【００２７】
チェーンを取り付ける部分８にチェーンを付けることにより、ネックレスのように使用できるため、補聴器９への悪印象を払拭できる。
【手続補正１１】
【補正対象書類名】明細書
【補正対象項目名】００２８
【補正方法】変更
【補正の内容】
【００２８】
副次的効果として、スイッチを切るためという補聴器９を補聴器ケース６へ収納する新たな動機が生じるため、補聴器９を裸で管理しにくくなり、補聴器９の紛失や破損を防止する。
【手続補正１２】
【補正対象書類名】明細書
【補正対象項目名】００３０
【補正方法】変更
【補正の内容】
【００３０】
このように、本実施例の補聴器ケース６は、収納時に補聴器９のスイッチを押しスイッチを切るためにスイッチと係合する係合部２と、補聴器を適切な位置に保持するための保持部を備えたことを特徴とする。
【手続補正１３】
【補正対象書類名】明細書
【補正対象項目名】００３４
【補正方法】変更
【補正の内容】
【００３４】
補聴器ケースにおいて、補聴器９の収納時に、補聴器９の電池ホルダー１１のノブ１０と係合しノブ１０を押す部分３２と、補聴器を適切な位置へ誘導し保持する面３３、溝３７、弾性保護材３５、塵や汚れから補聴器を守る蓋３１、予備電池収納スペース３４を設けた。
【手続補正１４】
【補正対象書類名】明細書
【補正対象項目名】００３５
【補正方法】変更
【補正の内容】
【００３５】
従来の補聴器ケースと同様、補聴器９を収納、携帯するために使用する。
【手続補正１５】
【補正対象書類名】明細書
【補正対象項目名】００３６
【補正方法】変更
【補正の内容】
【００３６】
従来の補聴器ケースは補聴器９の電池ホルダー１１が開く方向に鉛直方向に収納するが、本発明では補聴器９の電池ホルダー１１が開く方向の逆方向に収納する。
【手続補正１６】
【補正対象書類名】明細書
【補正対象項目名】００３７
【補正方法】変更
【補正の内容】
【００３７】
従来の補聴器ケースでは電池ホルダー１１を開く際に電池ホルダー１１が通過する面の鉛直下向き方向に向かって補聴器９を補聴器ケースに収納する。一方で本発明では電池ホルダー１１が開く方向の逆方向に向かって補聴器９を補聴器ケースに収納する。補聴器ケースには補聴器９の全体あるいは一部と同じ形の溝７があり、その溝７に補聴器９を収納する。使用者が収納するために補聴器ケースを保持して補聴器９を押す力、または補聴器９と補聴器ケースを押す力、または補聴器９を保持して補聴器ケースを押す力が、電池ホルダー１１と補聴器ケースの係合部３２とが係合することにより電池ホルダー１１に伝わり、電池ホルダー１１が開く。係合部２は電池ホルダー１１の一部、または全体に沿った形をしている。
【手続補正１７】
【補正対象書類名】明細書
【補正対象項目名】００３８
【補正方法】変更
【補正の内容】
【００３８】
係合部２は補聴器９と補聴器ケースとを離す、つまり収納している状態から取り出す作為を使用者がする場合、電池ホルダー１１と補聴器ケースの係合部２の係合が外れる。したがって補聴器９の円滑な取り出しが可能である。
【手続補正１８】
【補正対象書類名】明細書
【補正対象項目名】００３９
【補正方法】変更
【補正の内容】
【００３９】
溝７の形が左右非対称になっており、使用者が補聴器９を補聴器ホルダー１１の開く方向の逆方向ではなく、誤って補聴器ホルダー１１の開く方向に収納しようとした場合、補聴器が溝７にはまりにくいため収納方向の誤りに気づくようになっている。
【手続補正１９】
【補正対象書類名】明細書
【補正対象項目名】００４０
【補正方法】変更
【補正の内容】
【００４０】
従来は補聴器９の電池ホルダー１１を開いてから補聴器９を補聴器ケースに収納することが煩雑であった。特にお年寄りには難しい操作であった。一方で本発明の方法では簡単に素早く確実に電池ホルダーを開き収納できる。
【手続補正２０】
【補正対象書類名】明細書
【補正対象項目名】００４１
【補正方法】変更
【補正の内容】
【００４１】
本発明によれば、補聴器９のスイッチの切り忘れを防止できる。
【手続補正２１】
【補正対象書類名】明細書
【補正対象項目名】００４２
【補正方法】変更
【補正の内容】
【００４２】
本発明によれば、補聴器９のスイッチの入り切りの所要時間の短縮ができ、これは補聴器９の着脱の時間の短縮につながる。
【手続補正２２】
【補正対象書類名】明細書
【補正対象項目名】００４７
【補正方法】変更
【補正の内容】
【００４７】
副次的効果として、スイッチを切るためという補聴器９をケースへ収納する新たな動機が生じるため、補聴器９を裸で管理しにくくなり、補聴器の紛失や破損を防止する。
【手続補正２３】
【補正対象書類名】明細書
【補正対象項目名】００４９
【補正方法】変更
【補正の内容】
【００４９】
このように、本実施例の補聴器ケースは、収納時に補聴器９のスイッチを押しスイッチを切るためにスイッチと係合する係合部２と、補聴器を適切な位置に保持するための保持部３３を備えたことを特徴とする。また溝７によっても左右から補聴器９を適切な位置に誘導し保持している。
【手続補正２４】
【補正対象書類名】明細書
【補正対象項目名】００５３
【補正方法】変更
【補正の内容】
【００５３】
補聴器ケースにおいて、補聴器９の収納時に、補聴器９の電池ホルダー１１のノブ１０と係合しノブ１０を押す部分３６と、補聴器を適切な位置へ誘導し保持する面３３、溝３７、弾性保護材３５、塵や汚れから補聴器を守る蓋３１、予備電池収納スペース３４を設けた。
【手続補正２５】
【補正対象書類名】明細書
【補正対象項目名】００５４
【補正方法】変更
【補正の内容】
【００５４】
従来の補聴器ケースと同様、補聴器９を収納、携帯するために使用する。
【手続補正２６】
【補正対象書類名】明細書
【補正対象項目名】００５５
【補正方法】変更
【補正の内容】
【００５５】
従来の補聴器ケースでは電池ホルダー１１を開く際に通過する面の鉛直下向き方向に向かって補聴器９を補聴器ケースに収納する。一方で本発明では電池ホルダー１１が開く方向に向かって補聴器９を補聴器ケースに収納する。実施例２と異なり開く方向に向かって収納する。補聴器ケースには補聴器９の全体あるいは一部と同じ形の溝７があり、その溝３７に補聴器９を収納する。溝３７も補聴器を適切な位置へ誘導し保持する役割を持つ。
【手続補正２７】
【補正対象書類名】明細書
【補正対象項目名】００５６
【補正方法】変更
【補正の内容】
【００５６】
補聴器９は補聴器ケースに保持される。使用者が補聴器ケースの蓋３１を閉めるとき使用者が補聴器ケースの蓋３１を押す力が電池ホルダー１１と補聴器ケースの蓋３１に形成された係合部３６とが係合することにより電池ホルダー１１に伝わり、電池ホルダー１１が開く。係合部は電池ホルダー１１の一部、または全体に沿った形をしている。
【手続補正２８】
【補正対象書類名】明細書
【補正対象項目名】００５７
【補正方法】変更
【補正の内容】
【００５７】
従来は補聴器９の電池ホルダー１１を開いてから補聴器ケースに収納することが煩雑であった。特にお年寄りには難しい操作であった。一方で本発明の方法では簡単に素早く確実に電池ホルダー１１を開き収納できる。
【手続補正２９】
【補正対象書類名】明細書
【補正対象項目名】００５８
【補正方法】変更
【補正の内容】
【００５８】
溝３７の形が左右非対称になっており、使用者が補聴器９を補聴器ホルダー１１の開く方向ではなく、誤って補聴器ホルダー１１の開く方向の逆方向に収納しようとした場合、補聴器９が溝３７にはまりにくいため気づくようになっている。
【手続補正３０】
【補正対象書類名】明細書
【補正対象項目名】００５９
【補正方法】変更
【補正の内容】
【００５９】
本発明によれば、補聴器９のスイッチの切り忘れを防止できる。
【手続補正３１】
【補正対象書類名】明細書
【補正対象項目名】００６０
【補正方法】変更
【補正の内容】
【００６０】
本発明によれば、補聴器９のスイッチの入り切りの所要時間の短縮ができ、これは補聴器９の着脱の時間の短縮につながる。
【手続補正３２】
【補正対象書類名】明細書
【補正対象項目名】００６５
【補正方法】変更
【補正の内容】
【００６５】
副次的効果として、スイッチを切るためという補聴器９をケースへ収納する新たな動機が生じるため、補聴器９を裸で管理しにくくなり、補聴器９の紛失や破損を防止する。
【手続補正３３】
【補正対象書類名】明細書
【補正対象項目名】００６７
【補正方法】変更
【補正の内容】
【００６７】
また、本実施例では、補聴器９を補聴器ケース内に動かないように保持し、補聴器の電池ホルダー１１を蓋３１に形成された係合部３６が押すことによりスイッチを切る構成になっているので、蓋３１を閉める動作だけで簡単にスイッチを切ることができる。したがって、電池ホルダー１１と係合部３６の位置合わせをする必要がなく、お年寄りにも使いやすい。
【手続補正３４】
【補正対象書類名】明細書
【補正対象項目名】００６８
【補正方法】変更
【補正の内容】
【００６８】
位置合わせとは、例えば補聴器９の電池ホルダー１１のノブ１０の幅ぴったりの隙間が形成された補聴器ケースの場合、補聴器９の電池ホルダー１１のノブ１０を補聴器ケースに形成された補聴器９の電池ホルダー１１のノブ１０の幅ぴったりの隙間にはめることである。目視と指先の感覚により、使用者は位置をしっかり合わせて補聴器９の電池ホルダー１１のノブ１０を、補聴器９の電池ホルダー１１のノブ１０の幅ぴったりに形成された溝にはめる必要がある。したがって年齢に伴い視力の衰えや指先の感覚の鈍さが生じている人にとって位置合わせは難しい。
【手続補正３５】
【補正対象書類名】明細書
【補正対象項目名】００６９
【補正方法】変更
【補正の内容】
【００６９】
電池ホルダーを保持して、補聴器ケースの蓋３１に形成された係合部３６が補聴器本体と係合し使用者が補聴器ケースの蓋３１を押す力を利用して電池ホルダー１１を開く機構も可能である。しかし、この機構は補聴器９を収納する際、使用者が補聴器９の電池ホルダー１１のノブ１０が補聴器ケースに保持されるよう注意深く収納する必要があり、お年寄りにやさしくない。一方で本実施例では簡単に収納ができる。
【手続補正３６】
【補正対象書類名】明細書
【補正対象項目名】００７０
【補正方法】変更
【補正の内容】
【００７０】
このように、本実施例の補聴器ケースは、収納時に補聴器９のスイッチを押しスイッチを切るためにスイッチと係合する係合部３６と、補聴器９を適切な位置に誘導し保持するための保持部３３を備えたことを特徴とする。３７も補聴器９を適切な位置に保持する。
【手続補正３７】
【補正対象書類名】明細書
【補正対象項目名】００７２
【補正方法】変更
【補正の内容】
【００７２】
また、塵や汚れから補聴器９を守るための蓋３１を備えることを特徴とする。
【手続補正３８】
【補正対象書類名】明細書
【補正対象項目名】００７５
【補正方法】変更
【補正の内容】
【００７５】
２…補聴器の電池ホルダーのノブを押す部分，係合部
３…チェーンを取り付ける部分
４…補聴器を適切な位置へ誘導し保持する部分、保持部
５…補聴器を適切な位置へ誘導し保持する面、保持部
６…補聴器ケース
７…溝
８…チェーンを取り付ける部分
９…補聴器
１０…ノブ
１１…電池ホルダー
３１…補聴器ケースの蓋
３２，３６…補聴器の電池ホルダーのノブと係合しノブを押す部分，係合部
３３…補聴器を適切な位置へ誘導し保持する面、保持部
３４…予備電池収納スペース
３５…弾性保護材
３７…溝